(57)【特許請求の範囲】
【請求項１】
枠と、枠にケンドンで取り付ける網戸を備え、網戸の対向する框に取手を設けてあり、取手は、見込方向の回転軸周りに回転自在であり、框の内周側に突出自在な把持部と、把持部が框内に没入した時に回転軸に対して把持部の反対側の部分で且つ把持部よりも框長手方向側で框の内周側に位置する操作部を有し、回転軸は、把持部の没入時に取手における把持部の外周側の部分で且つ把持部よりも框長手方向側の部分で取手を框に軸着していることを特徴とする建具。
【請求項２】
枠と、枠にケンドンで取り付ける網戸を備え、網戸の対向する框に取手を設けてあり、取手は、見込方向の回転軸周りに回転自在であり、框の内周側面に突没自在な把持部と、把持部の没入時に外周側に位置して網戸の外れを防止する外れ止め部を有することを特徴とする建具。
【請求項３】
枠と、枠にケンドンで取り付ける網戸を備え、網戸の対向する框に取手を設けてあり、取手は、框の内周側面に突没自在な把持部と、把持部の没入時に網戸の外れを防止する外れ止め部を有することを特徴とする建具。
【発明の詳細な説明】
【技術分野】
【０００１】
本発明は、枠にケンドンで取り付ける網戸を備えた建具に関する。
【背景技術】
【０００２】
従来、上げ下げ窓などにおいて、窓の室外側に網戸をケンドンで取り付けるものがあるが、このような網戸について、框を直接把持して室内側から着脱することは困難であった。そこで、特許文献１に示すように、着脱時に把持するための把持部材を框の内周側に設けたものがある。
【先行技術文献】
【特許文献】
【０００３】
【特許文献１】特許第４９５４９６３号公報
【発明の概要】
【発明が解決しようとする課題】
【０００４】
しかしながら、この把持部材は、網戸の着脱時にしか使用しないものでありながら、常時框の内周側に露出しており、意匠性を損ね、また眺望を阻害していた。
【０００５】
本発明は、上記事情を鑑みたものであり、網戸の着脱が容易であって、かつ意匠性や眺望性が良好な建具を提供することを目的とする。
【課題を解決するための手段】
【０００６】
本発明のうち請求項１の発明は、枠と、枠にケンドンで取り付ける網戸を備え、網戸の対向する框に取手を設けてあり、取手は、見込方向の回転軸周りに回転自在であり、框の内周側に突出自在な把持部と、把持部が框内に没入した時に回転軸に対して把持部の反対側の部分で且つ把持部よりも框長手方向側で框の内周側に位置する操作部を有し、回転軸は、把持部の没入時に取手における把持部の外周側の部分で且つ把持部よりも框長手方向側の部分で取手を框に軸着していることを特徴とする。
【０００７】
本発明のうち請求項２の発明は、枠と、枠にケンドンで取り付ける網戸を備え、網戸の対向する框に取手を設けてあり、取手は、見込方向の回転軸周りに回転自在であり、框の内周側面に突没自在な把持部と、把持部の没入時に外周側に位置して網戸の外れを防止する外れ止め部を有することを特徴とする。
【０００８】
本発明のうち請求項３の発明は、枠と、枠にケンドンで取り付ける網戸を備え、網戸の対向する框に取手を設けてあり、取手は、框の内周側面に突没自在な把持部と、把持部の没入時に網戸の外れを防止する外れ止め部を有することを特徴とする。
【発明の効果】
【０００９】
本発明のうち請求項１の発明によれば、網戸を取り付けた状態において、取手の把持部を框に没入させることで、意匠性が向上し、また眺望が阻害されない。また、把持部を框から突出させることで、それを把持して容易に網戸を着脱できる。そして、回転軸に対して把持部の反対側に操作部を有するので、操作部を框側に押し込むだけで容易に把持部を突出させることができる。
【００１０】
本発明のうち請求項２の発明によれば、網戸を取り付けた状態において、取手の把持部を框に没入させることで、意匠性が向上し、また眺望が阻害されない。また、把持部を框から突出させることで、それを把持して容易に網戸を着脱できる。さらに、把持部を没入させることで取手の外れ止め部が網戸の外れを防止するので、操作性がよく、他に外れ止めのための部材を設ける必要がないので、費用を抑えられる。
【００１１】
本発明のうち請求項３の発明によれば、網戸を取り付けた状態において、取手の把持部を框に没入させることで、意匠性が向上し、また眺望が阻害されない。また、把持部を框から突出させることで、それを把持して容易に網戸を着脱できる。さらに、把持部を没入させることで取手の外れ止め部が網戸の外れを防止するので、操作性がよく、他に外れ止めのための部材を設ける必要がないので、費用を抑えられる。
【図面の簡単な説明】
【００１２】
【図１】建具の第一実施形態における取手部分の拡大正面図である。
【図２】第一実施形態の取手の動作を説明するものであり、（ａ）は把持部突出時の正面図、（ｂ）は把持部没入時の正面図、（ｃ）は把持部突出時の平面図、（ｄ）は把持部没入時の平面図である。
【図３】第一実施形態の取手の分解図である。
【図４】第一実施形態の網戸の室内側正面図であり、（ａ）は把持部突出時、（ｂ）は把持部没入時を示す。
【図５】建具の横断面図である。
【図６】建具の縦断面図である。
【図７】建具の第二実施形態における取手部分の拡大正面図である。
【図８】第二実施形態の取手の動作の説明図であり、（ａ）は把持部突出時の内周側側面図、（ｂ）は把持部突出時の正面図、（ｃ）は把持部没入時（非固定状態）の正面図、（ｄ）は把持部没入時（固定状態）の正面図、（ｅ）は把持部突出時の平面図、（ｆ）は把持部没入時（非固定状態）の平面図、（ｇ）は把持部没入時（固定状態）の平面図である。
【発明を実施するための形態】
【００１３】
以下、本発明の実施の形態を図面に基づいて説明する。この建具の第一実施形態は、種々の窓や戸として用いられるものであるが、ここでは上げ下げ窓として用いられる場合を示す。図５及び図６に示すように、この上げ下げ窓は、枠（縦枠２ａ及び横枠２ｂ）を四周枠組みした枠体内に、内障子４ａと外障子４ｂを納めてある。内障子４ａは、枠体内を上下動する可動障子であって、閉鎖時は枠体の下部に位置する。一方、外障子４ｂは固定障子であって、枠体の上部に位置する。また、内障子４ａ及び外障子４ｂの室外側に、網戸３を取り付けてある。網戸３は、框（縦框３１及び横框３２）を四周框組みした内周側に網３３を張設したものであり、左右の縦框３１の外周側に、長手方向に延び外周側に向けて開口する取付溝３４を形成してある。一方、左右の縦枠２ａの室外側面には、略Ｌ字形で先端が内周側に向けて延びるレール２１を形成してある。このレール２１が網戸３の取付溝３４内に納まるように、左右ケンドンで網戸３を縦枠２ａに取り付けるものであり、網戸３はレール２１に沿って上下に摺動自在となる。
【００１４】
そして、図４に示すように、網戸３の左右の縦框３１の上下方向中央の、網３３の室内側には、取手１を設けてある。なお、この段落の取手１の構成の説明は、把持部１１が内周側に突出した状態（図１の実線、図２（ａ）、（ｃ））を基準とする。図１及び図２に示すように、取手１は、内周側に長円環状の把持部１１を有しており、指が掛けられる大きさとなっている。把持部１１の外周側上部には、室内外方向に貫通する孔を形成してあり、スプリングピンからなる回転軸１４を挿入してある。また、回転軸１４の外周側には、室内側及び室外側に突出する円柱形状のガイド突起１５を形成してある。さらに、取手１の回転軸１４よりも外周側の下端部が、把持部１１よりも下側に突出していて、外れ止め部１２となっており、外れ止め部１２には、室内側及び室外側に突出する略直方体形状の係止突起１６を形成してある。また、取手１の回転軸１４よりも外周側（回転軸１４に対して把持部１１の反対側）の上端部（ガイド突起１５の上側部）が、把持部１１よりも上側に突出していて、操作部１３となっている。
【００１５】
そして、図１〜図３に示すように、この取手１は、ベース部材５を介して縦框３１に取り付けてある。ベース部材５は、箱形で内周側面と外周側面が抜けており、内部に取手１が納まる。室内側面と室外側面の上部には、軸受孔５１を形成してあり、回転軸１４を挿入してあって、ベース部材５に対して取手１が室内外方向（見込方向）の回転軸１４周りに回動自在に軸支されている。また、軸受孔５１の外周側から上側にかけて１／４円弧状のガイド溝５２を形成してあり、取手１のガイド突起１５がガイド溝５２に挿入されて、取手１の回動範囲を約９０°に規制している。すなわち、ガイド突起１５がガイド溝５２の外周側端に位置するとき、把持部１１が内周側に位置し、ガイド突起１５がガイド溝５２の上側端に位置するとき、把持部１１が下側に位置する。なお、ガイド溝５２は、両端部においてガイド突起１５が嵌合して取手１がその位置で固定されるように、溝幅を絞って嵌合部５３ａ，５３ｂを形成してある。また、ベース部材５の室内側面と室外側面の上下方向中央部に、外周側に向けて開口する係止溝５４を形成してあり、取手１の把持部１１を内周側に向けた際に、外れ止め部１２の係止突起１６が係止溝５４に嵌まってその内周側端に係止される。さらに、ベース部材５の内周側面の周縁部には鍔部５５を形成してあり、上側面と下側面には爪部５６を形成してある。そして、縦框３１の内周側面と取付溝３４の底面には取付孔３５を形成してあり、取付孔３５に、取手１を取り付けたベース部材５を挿入してある。ベース部材５は、鍔部５５が縦框３１の内周側面に内周側から係合し、上下の爪部５６が縦框３１の内周側面に外周側から係合して固定され、その外周側端部が取付溝３４の底面と略面一となり、取付溝３４内に露出する。
【００１６】
次に、このように構成した取手１の動作について説明する。図４に示すように、取手１は網戸３の左右の縦框３１の対向する内周側面にそれぞれベース部材５を介して取り付けられる。左右の取手１は左右対称であり、ここでは、右側の縦框３１の取手１に基づいて説明する。まず、取手１を時計回りに回転させると、把持部１１が縦框３１の内周側面（ベース部材５の内周側面）から突出し、把持部１１の上側面は略水平向きとなる（図１の実線、図２（ａ）、（ｃ）、図４（ａ））。この際、取手１のガイド突起１５がガイド溝５２の外周側の嵌合部５３ａに嵌合して取手１が固定されるとともに、外れ止め部１２の係止突起１６がベース部材５の係止溝５４に係止する。また、取手１の外周側端はベース部材５の内側に納まる。一方、取手１を反時計回りに回転させると、把持部１１が縦框３１の内周側面に没入し、把持部１１の内周側面は略垂直向きとなり、操作部１３のみがわずかに縦框３１の内周側面から突出する（図１の二点鎖線、図２（ｂ）、（ｄ）、図４（ｂ））。この際、取手１のガイド突起１５がガイド溝５２の上側の嵌合部５３ｂに嵌合して取手１が固定される。また、把持部１１の内周側面がベース部材５の内周側面と略面一となる。さらに、外れ止め部１２が外周側に位置し、ベース部材５から外周側、すなわち取付溝３４内に突出する。把持部１１が縦框３１に没入した状態から、把持部１１を突出させる際には、操作部１３を縦框３１側に押し込むことで、取手１が時計回りに回転し、操作部１３と回転軸１４に対して反対側に位置する把持部１１の一部が縦框３１から飛び出すので、その部分を摘んで引っ張り出せばよい。なお、操作部１３を押し込みやすくするため、ベース部材５の内周側面の操作部１３の周縁部を掘り込んだ形状としてある。一方、把持部１１が縦框３１から突出した状態から、把持部１１を没入させる際には、把持部１１自体を押し下げて、取手１を反時計回りに回転させればよい。このように、取手１を回転させることで、把持部１１が縦框３１の内周側面に突没自在となっている。
【００１７】
次に、この取手１を用いた網戸３の着脱について説明する。まず、網戸３を取り付ける際には、左右の取手１の把持部１１を縦框３１から突出させ（図１の実線、図２（ａ）、（ｃ）、図４（ａ））、それぞれの把持部１１に指を掛けて網戸３を保持する。この状態では、網戸３の重量により、把持部１１をさらに上側に回転させる向き（右側の取手１であれば時計回り方向）に力が働くが、取手１のガイド突起１５がベース部材５のガイド溝５２の外周側の嵌合部５３ａに嵌合するとともに、取手１の係止突起１６がベース部材５の係止溝５４に係止するので、確実に荷重を受けられる。そして、網戸３を室外側に持ち出してから、左右ケンドンで縦枠２ａに取り付ける。すなわち、左右の一方の縦框３１を室内側に引き寄せて、取付溝３４に一方の縦枠２ａのレール２１を最奥まで挿入し、さらに他方の縦框３１を室内側に引き寄せ、網戸３を他方側にずらして取付溝３４に他方の縦枠２ａのレール２１を挿入する。この際、取手１は取付溝３４内には突出していないので、レール２１と干渉することはなく、ケンドンで取り付けることには影響しない。このようにして左右の縦框３１の取付溝３４にそれぞれ左右の縦枠２ａのレール２１を挿入したら、左右の取手１の把持部１１を押し下げて、把持部１１を縦框３１に没入させる（図１の二点鎖線、図２（ｂ）、（ｄ）、図４（ｂ））。すると、取手１の外れ止め部１２が縦框３１の取付溝３４内に突出し、縦枠２ａのレール２１の先端に対向する。これにより、網戸３が左右に動こうとしても、外れ止め部１２がレール２１に当接して動きが規制される。そして、外れ止め部１２にレール２１が当接して外周側から力が作用しても、外れ止め部１２は回転軸１４に対して把持部１１の縦框３１長手方向（力の作用方向に直交する方向）反対側に位置するので、把持部１１を没入させる方向の力となり、把持部１１が突出することはなく、ガイド突起１５がガイド溝５２の上側の嵌合部５３ｂに嵌合しているので、没入方向にもそれ以上動くことはない。よって、レール２１が取付溝３４から抜けることがなく、網戸３の外れが防止される。なお、網戸３を取り付けた後で把持部１１を没入させることを忘れないように、把持部１１の室内側面に下向きの矢印を表示してある。
【００１８】
一方、網戸３を取り外す際には、左右の取手１の操作部１３を押し込み、把持部１１を縦框３１から突出させる（図１の実線、図２（ａ）、（ｃ）、図４（ａ））。すると、外れ止め部１２が内周側へ移動するので、網戸３の左右の動きの規制が解除される。よって、左右の把持部１１に指を掛けて網戸３を保持し、取り付けの際とは逆の動作で網戸３を取り外すことができる。
【００１９】
このように構成した建具の第一実施形態によれば、網戸３を取り付けた状態において、取手１の把持部１１を縦框３１に没入させることで、把持部１１は縦框３１の内周側面と略面一となるので、意匠性が向上し、また眺望が阻害されない。また、回転軸１４に対して把持部１１の反対側に操作部１３を有するので、操作部１３を縦框３１側に押し込むだけで容易に把持部１１を縦框３１から突出させることが可能であり、突出させた把持部１１を把持して容易に網戸３を着脱できる。さらに、把持部１１を没入させることで、自動的に取手１の外れ止め部１２が外周側へ移動するので、簡単な操作で網戸３の外れを確実に防止できる。そして、網戸３を取り外す際には、把持部１１を突出させることで、自動的に取手１の外れ止め部１２が内周側へ移動して、外れ止めの機能が解除される。この把持部１１と外れ止め部１２は、同時に必要になることはなく、着脱動作に伴って自動的に機能が切り替わるので、操作性がよい。また、回転軸１４に対して把持部１１の縦框３１長手方向反対側に外れ止め部１２を有するので、網戸３が左右に動いて外れ止め部１２に力が作用しても、把持部１１が縦框３１から突出することはない。そして、他に外れ止めのための部材を設ける必要がないので、部品点数が削減され費用を抑えられる。また、取手１とベース部材５の組み立て及びベース部材５の縦框３１への取り付けが容易である。さらに、網戸３の保持中は、把持部１１をさらに上側に回転させる向きに力が働くが、取手１のガイド突起１５がベース部材５のガイド溝５２の外周側の嵌合部５３ａに嵌合するとともに、取手１の係止突起１６がベース部材５の係止溝５４に係止するので、確実に荷重を受け、安定して網戸３を保持できる。そして、把持部１１が横向き（突出時）から下向き（没入時）まで回転するものであり、取手１に対して重力が把持部１１の没入方向に作用するので、没入した状態から把持部１１が意図せず突出することがない。
【００２０】
続いて、本発明の建具の第二実施形態について説明する。第二実施形態も、第一実施形態と同様に、網戸３を有する上げ下げ窓であって、網戸３の左右の縦框３１の上下方向中央の、網３３の室内側に取手１を設けてあるが、この取手１及びベース部材５の構造が第一実施形態とは異なる。
【００２１】
図７及び図８に示すように、第二実施形態の取手１は、内周側に位置し上下方向に延びる棒状部１１ａと、棒状部１１ａの上下方向中央から外周側に向けて連設した二つの略矩形環状部を有していて、棒状部１１ａと内周側の矩形環状部１１ｂが把持部１１となっており、棒状部１１ａに指を掛けたり、矩形環状部１１ｂに指を挿入したりできる大きさとなっている。また、外周側の矩形環状部の外周側端が、外れ止め部１２となっており、外れ止め部１２には、室内側及び室外側に突出する略直方体形状の係止突起１６を形成してある。さらに、外周側の矩形環状部の孔が、ガイド孔１７となっており、ガイド孔１７の内周側端の上下には、室内側及び室外側に突出するガイド突起１５を形成してある。
【００２２】
そして、この取手１は、ベース部材５を介して縦框３１に取り付けてある。ベース部材５は、箱形で内周側面と外周側面が抜けている。内部には上下二枚の水平向きの見込壁面を形成してあり、両見込壁面の間が、取手１の二つの矩形環状部が挿入される挿入部５７となっていて、取手１が水平方向に摺動自在となっている。また、挿入部５７の室内側面と室外側面の上下に、外周側に向けて開口するガイド溝５２を形成してあり、取手１の上下のガイド突起１５がそれぞれ上下のガイド溝５２に挿入されて、取手１の内周側への移動を規制している。さらに、上下のガイド溝５２の間の室内側面と室外側面は、外周側端部を切り落とした形状で、上下の室内側面及び室外側面より短くなっており、その外周側端部に取手１の係止突起１６が係止して、ガイド突起１５及びガイド溝５２とともに、取手１の内周側への移動を規制している。なお、係止突起１６がベース部材５の室内側面及び室外側面に係止した状態において、取手１の外周側面とベース部材５の外周側面が略面一となる。また、上下のガイド溝５２の間の室内側面と室外側面の外周側端には、それぞれ上下方向に延びベース部材５の内側に向けて突出するガイド突条５８を形成してある。ガイド突条５８は、取手１のガイド孔１７に挿入されて、取手１の内外周方向の移動を規制している。さらに、ベース部材５の内周側面の周縁部には鍔部５５を形成してあり、上側面と下側面には爪部５６を形成してある。そして、縦框３１の内周側面と取付溝３４の底面には取付孔３５を形成してあり、取付孔３５に、取手１を取り付けたベース部材５を挿入してある。ベース部材５は、鍔部５５が縦框３１の内周側面に内周側から係合し、上下の爪部５６が縦框３１の内周側面に外周側から係合して固定され、その外周側端部が取付溝３４の底面と略面一となり、取付溝３４内に露出する。
【００２３】
次に、このように構成した取手１の動作について説明する。まず、取手１を内周側に移動させると、把持部１１が縦框３１の内周側面（ベース部材５の内周側面）から突出する（図７の実線、図８（ｂ）、（ｅ））。この際、取手１のガイド突起１５がガイド溝５２の内周側端に係止し、外れ止め部１２の係止突起１６がベース部材５の室内側面及び室外側面の外周側端に係止し、ガイド孔１７の外周側端がベース部材５のガイド突条５８に係止する。また、取手１の外周側端はベース部材５の内側に納まる。一方、取手１を外周側に移動させると、把持部１１の矩形環状部１１ｂが縦框３１の内周側面に没入し、把持部１１の棒状部１１ａのみがわずかに縦框３１の内周側面から突出する（図７の二点鎖線、図８（ｃ）、（ｆ））。この際、取手１のガイド孔１７の内周側端がベース部材５のガイド突条５８に係止する。さらに、外れ止め部１２がベース部材５から外周側、すなわち取付溝３４内に突出する。把持部１１が縦框３１に没入した状態から、把持部１１を突出させる際には、把持部１１の棒状部１１ａを摘んで引っ張り出せばよい。なお、棒状部１１ａを引っ張り出しやすくするため、ベース部材５の内周側面の棒状部１１ａ下端の周縁部を掘り込んだ形状としてある（図８（ａ））。一方、把持部１１が縦框３１から突出した状態から、把持部１１を没入させる際には、把持部１１の棒状部１１ａを縦框３１側に押し込めばよい。このように、取手１を摺動させることで、把持部１１が縦框３１の内周側面に突没自在となっている。
【００２４】
なお、ベース部材５には、把持部１１を固定するための係止片６を設けてある。図７及び図８に示すように、係止片６は、平面視して外周側に向けて開口する略コ字形の部材であって、室内側面及び室外側面に、内側に向けて突出する突起６１を有している。そして、ベース部材５の鍔部５５の室内側面及び室外側面の上部に、上下に延びる溝部５９を形成してあり、溝部５９に係止片６の突起６１が嵌まっていて、係止片６が上下に摺動自在となっている。係止片６は、最も上側まで移動させると、把持部１１の棒状部１１ａの上端よりも上側に位置するので、この状態においては、取手１を自在に突没させられる（図８（ｂ）、（ｃ））。そして、把持部１１を縦框３１に没入させた際に、係止片６を下側へ移動させると、把持部１１の棒状部１１ａの上部が、コ字形の係止片６の内側に納まる（図８（ｄ））。これにより、取手１は内周側へ摺動できなくなり、没入状態で固定される。一方、把持部１１を縦框３１から突出させた際に、係止片６を下側まで移動させると、把持部１１を縦框３１側へ押し込もうとしても、把持部１１の棒状部１１ａの上部が係止片６に内周側から当接して干渉するので、把持部１１が意図せず没入することを防ぐ。
【００２５】
次に、この取手１を用いた網戸３の着脱について説明する。まず、網戸３を取り付ける際には、左右の取手１の把持部１１を縦框３１から突出させ（図７の実線、図８（ｂ）、（ｅ））、それぞれの把持部１１に指を掛けて網戸３を保持する。そして、網戸３を室外側に持ち出してから、左右ケンドンで縦枠２ａのレール２１に取り付ける。この際、取手１は縦框３１の取付溝３４内には突出していないので、レール２１と干渉することはなく、ケンドンで取り付けることには影響しない。このようにして左右の縦框３１の取付溝３４にそれぞれ左右の縦枠２ａのレール２１を挿入したら、左右の取手１の把持部１１を押し込んで、把持部１１を縦框３１に没入させる（図８（ｃ）、（ｆ））。すると、取手１の外れ止め部１２が縦框３１の取付溝３４内に突出し、縦枠２ａのレール２１の先端に対向する。そしてさらに、係止片６を下側に移動させて、把持部１１の棒状部１１ａの上部を係止片６の内側に納める（図７の二点鎖線、図８（ｄ）、（ｇ））。これにより、網戸３が左右に動こうとしても、外れ止め部１２がレール２１に当接して動きが規制され、外れ止め部１２にレール２１が当接して外周側から力が作用しても、取手１は係止片６により固定されているので、それ以上動くことはない。よって、レール２１が取付溝３４から抜けることがなく、網戸３の外れが防止される。
【００２６】
一方、網戸３を取り外す際には、係止片６を上側に移動させて取手１の固定を解除してから、左右の取手１の棒状部１１ａの下端に指を掛けて引っ張り出し、把持部１１を縦框３１から突出させる（図７の実線、図８（ｂ）、（ｅ））。すると、外れ止め部１２が内周側へ移動するので、網戸３の左右の動きの規制が解除される。よって、左右の把持部１１に指を掛けて網戸３を保持し、取り付けの際とは逆の動作で網戸３を取り外すことができる。
【００２７】
このように構成した建具の第二実施形態によれば、網戸３を取り付けた状態において、取手１の把持部１１を縦框３１に没入させることで、把持部１１の棒状部１１ａのみが縦框３１の内周側面からわずかに露出した状態となるので、意匠性が向上し、また眺望が阻害されない。また、棒状部１１ａの下端に指を掛けて引っ張り出すだけで容易に把持部１１を縦框３１から突出させることが可能であり、突出させた把持部１１を把持して容易に網戸３を着脱できる。さらに、把持部１１を没入させることで、自動的に取手１の外れ止め部１２が外周側へ移動するので、簡単な操作で網戸３の外れを確実に防止できる。そして、網戸３を取り外す際には、把持部１１を突出させることで、自動的に取手１の外れ止め部１２が内周側へ移動して、外れ止めの機能が解除される。この把持部１１と外れ止め部１２は、同時に必要になることはなく、着脱動作に伴って自動的に機能が切り替わるので、操作性がよい。また、取手１を固定する係止片６を有するので、網戸３が左右に動いて外れ止め部１２に力が作用しても、把持部１１が縦框３１から突出することはない。そして、他に外れ止めのための部材を設ける必要がないので、部品点数が削減され費用を抑えられる。また、取手１とベース部材５の組み立て及びベース部材５の縦框３１への取り付けが容易である。
【００２８】
本発明は、上記の実施形態に限定されない。たとえば、網戸を枠に上下ケンドンで取り付けるものであってもよく、この場合、網戸の上下の横框に取手を設ける。また、第一実施形態においては、把持部を没入させる際に取手が上から下に向けて回転するが、この回転の向きは逆であってもよい。さらに、この建具は、上げ下げ窓以外の種類の窓として用いられるものであってもよいし、窓以外に戸などとして用いられるものであってもよい。戸として用いられる場合、戸に設けた開口部に網戸を取り付けたものが考えられる。なお、本発明の建具の取手を、たとえば面格子など、網戸以外の開口部に取り付けられる面材に設けることもできる。
【符号の説明】
【００２９】
１  取手
２ａ  縦枠（枠）
３  網戸
１１  把持部
１２  外れ止め部
１３  操作部
１４  回転軸
３１  縦框（框）
【図１】
0006471033.tif 000002
【図２】
0006471033.tif 000003
【図３】
0006471033.tif 000004
【図４】
0006471033.tif 000005
【図５】
0006471033.tif 000006
【図６】
0006471033.tif 000007
【図７】
0006471033.tif 000008
【図８】
0006471033.tif 000009